(57)【要約】【課題】配信される映像を表示できると共に、紙又は冊子等の配布を行なえる一体の装置によって、効果的に、且つ、効率的に広告を行なうことができる、表示部を備えた紙又は冊子等の配布装置を提供する。【解決手段】映像を表示する表示部２と、紙又は冊子等の物品又は物品の見本を展示するショーケース部３と、利用者にショーケース部３の物品を選択させる選択部４と、物品を収納する収納部５と、選択部４によって選択された物品を収納部５から１部ずつ繰り出す繰り出し部６と、繰り出された物品を取出すための取出部７とを一体に備えた、表示部を備えた紙又は冊子等の配布装置１を提供する。【選択図】図２
0003139511.tif 000002
【実用新案登録請求の範囲】
【請求項１】
映像を表示する表示部と、紙又は冊子等の物品又は物品の見本を展示するショーケース部と、利用者に前記ショーケース部の前記物品を選択させる選択部と、前記物品を収納する収納部と、前記選択部によって選択された前記物品を前記収納部から１部ずつ繰り出す繰り出し部と、繰り出された物品を取出すための取出部とを筐体に一体に備えたことを特徴とする表示部を備えた紙又は冊子等の配布装置。
【請求項２】
請求項１記載の表示部を備えた紙又は冊子等の配布装置と、前記配布装置に接続されると共に、インターネットを介し接続されたサーバからスケジュールに基づき配信された映像を受信し、且つ、受信した映像を前記配布装置の前記表示部に出力する映像コントローラとを備えたことを特徴とする映像配信装置。
【考案の詳細な説明】
【技術分野】
【０００１】
本考案は、広告等を行なうため、配信される映像を表示できると共に、紙又は冊子等の配布を行なえる、表示部を備えた紙又は冊子等の配布装置及びその映像配信装置に関する。
【背景技術】
【０００２】
近年、人通りの多い場所で、広告等を含む映像の表示や、広告等を含む紙又は冊子等の配布が行なわれており、広告の有効な手段として成果をあげている。
映像の表示は、例えば、映像装置を建物の外壁や、内壁、又は、道路脇や、通路脇等の適宜場所に設け、広告映像や、画面の一部に広告を入れた映像、又は、映像時間の一部に広告を入れた映像を表示するものである。
又、映像装置のみではなく、例えば、直接販売する物品に関する広告映像を表示する自販機等もあり、その効果を上げている。
【０００３】
一方、広告等を含む紙又は冊子等の配布は、例えば、全面に広告を印刷した紙又は冊子等、又は、印刷の一部に広告を配した情報を掲載した紙又は冊子等を配布するもので、それらの紙又は冊子等は、人が手渡しで通行人等に配布する場合もあるが、適宜場所に設置した棚にそれらの紙又は冊子等を於いて、必要な人が無料で自由に入手できるようにしたものもある。
【０００４】
先行文献として、例えば、特許文献１があり、特許文献１には、ニュース、天気予報等の文字多重放送によって得られる情報のみならず、ＣＭ等の情報を所望のタイミングで所望する時間だけ表示させる情報表示装置及びこれを用いた情報提供システムが記載されている。
【特許文献１】実用新案登録第３０８０８８１号公報
【考案の開示】
【考案が解決しようとする課題】
【０００５】
前述したように、広告等を含む映像の表示や、広告等を含む紙又は冊子等の配布は、有効な広告手段であるが、それらは、異なる広告方法として別々に実施されている。
然しながら、更に、広告の効果を上げることが求められており、又、効率的な広告の方法も求められている。
【０００６】
以上の現状に鑑み、本考案は、配信される映像を表示できると共に、紙又は冊子等の配布を行なえる一体の装置によって、効果的に、且つ、効率的に広告を行なうことができる、表示部を備えた紙又は冊子等の配布装置及びその映像配信装置を提供することを目的とする。
【課題を解決するための手段】
【０００７】
上記の課題を解決すべく、本考案は以下の構成を提供する。
請求項１に係る考案は、映像を表示する表示部と、紙又は冊子等の物品又は物品の見本を展示するショーケース部と、利用者に前記ショーケース部の前記物品を選択させる選択部と、前記物品を収納する収納部と、前記選択部によって選択された前記物品を前記収納部から１部ずつ繰り出す繰り出し部と、繰り出された物品を取出すための取出部とを筐体に一体に備えたことを特徴とする表示部を備えた紙又は冊子等の配布装置を提供するものである。
【０００８】
請求項２に係る考案は、請求項１記載の表示部を備えた紙又は冊子等の配布装置と、前記配布装置に接続されると共に、インターネットを介し接続されたサーバからスケジュールに基づき配信された映像を受信し、且つ、受信した映像を前記配布装置の前記表示部に出力する映像コントローラとを備えたことを特徴とする映像配信装置を提供するものである。
【考案の効果】
【０００９】
本考案によれば、請求項１に係る考案は、配信される映像を表示できると共に、紙又は冊子等の配布を行なえる一体の装置によって、効果的に、且つ、効率的に広告を行なうことができる、表示部を備えた紙又は冊子等の配布装置を提供することができる。
【００１０】
請求項２に係る考案は、請求項１記載の表示部を備えた紙又は冊子等の配布装置の表示部に対し、スケジュールに基づき自動的に映像を配信することができる映像配信装置を提供することができる。
【考案を実施するための最良の形態】
【００１１】
以下、実施例を示した図面を参照しつつ本考案の実施の形態を説明する。
図１及び図２に於いて、１は、本考案の表示部を備えた紙又は冊子等の配布装置であり、配布装置１は、広告映像を含む映像を表示する表示部２と、広告印刷を含む紙又は冊子等の物品又は物品の見本を展示するショーケース部３と、利用者にショーケース部３の物品を選択させる押しボタン等の選択部４と、物品を収納するトレイ等の収納部５と、選択部４によって選択された物品を収納部５から１部ずつローラ６ａによって繰り出す繰り出し部６と、繰り出された物品を取り出すための取出口を有する取出部７とを筐体８及び筐体８内に一体に備えたものである。
【００１２】
表示部２は、例えば、６５インチ、又は、１０３インチ等のプラズマテレビ、又は、プロジェクションテレビであってスケジュールに基づき外部から配信される映像が表示される。
物品を収納するトレイ等の収納部５は、前記繰り出し部６の下方に引き出し自在に配置され、収納部５を引き出して物品を収納できると共に、収納された物品の最上位置の物品が繰り出し部６のローラ６ａによって繰り出されるように構成されている。又、ローラ６ａは、制御部９の制御に従って駆動されるように構成されている。
尚、図１及び図２に於いて、１０は、前記収納部５を引き出すために開く観音開き状態に設けられた扉であり、１１は、前記筐体８の転倒を防止するため筐体８底部の前後に突設して延びる底板である。又、１２はモーター、１３はトレイ検知センサー、１４は不足検知センサー、１５は不足警告センサー、１６は出口センサーである。
【００１３】
而して、前記配布装置１の使用方法を説明すると、まず、収納部５を引き出して収納部５内に紙又は冊子等を収納したのち、収納部５を元の位置に戻した状態で、利用者が任意の押しボタン等の選択部４を押すと、配布装置１は、制御部９によって、選択された選択部４に該当する繰り出し部６のローラ６ａが作動して、収納部５内の最上位置の紙又は冊子等を繰り出し、利用者は取出部７から取り出すことができる。
【００１４】
一方、前記表示部２には、予め設定されたスケジュールに基づき外部サーバ（図示せず）等から配信された種々の映像が表示される。表示する画像は、動画、静止画、ホームページ等で、表示内容として、広告映像や、画面の一部に広告を入れた映像、又は、映像時間の一部に広告を入れた映像を表示する。広告以外の映像は、任意の映像を配信できる。
そして、前記表示部２には、図示しない音声出力装置が付属して設けられ、表示部２に表示する映像に関連する音声、或いは関連させない音声を任意に出力させることができる。
尚、前記配布装置１はローラ６ａによって紙又は冊子等を繰り出す繰り出し部６を備えたが、この繰り出し部６に代えて、例えば、新聞自動販売機等に用いられるように、紙又は冊子を爪によって引掛けて排出する排出装置を備えても良い。
【００１５】
図３に於いて、２１は、本考案の表示部を備えた紙又は冊子等の配布装置１に映像を配信するための映像配信装置であり、映像配信装置２１は、前記配布装置１と、配布装置１に接続されると共に、インターネット２２を介し接続されたサーバ２３からスケジュールに基づき配信された映像を受信し、且つ、受信した映像を配布装置１の表示部２に出力する映像コントローラ２４とを備えた装置である。
【００１６】
そして、前記サーバ２３は、情報を管理し、配信する第１サーバ２５と、第１サーバ２５に接続され、ログと、コンテンツと、配信先の映像出力の予定表であるスケジュールとを保存する第２サーバ２６とから構成され、第１サーバ２５は、第１サーバ２５を操作する操作端末２７に接続され、更に、インターネット２２に接続するためのルータ２８に接続されている。第１サーバ２５は、第２サーバ２６が保存するスケジュールに基づき、第２サーバ２６が保存するコンテンツである映像を取り込み、ルータ２８を介して配信する。配信履歴はログとして第２サーバ２６に保存される。
操作端末２７は、第１サーバ２５、第２サーバ２６を操作することができ、前記コンテンツ、スケジュールの作成、保存、変更等を行なうことができる。
【００１７】
一方、配布装置１は、前記映像コントローラ２４に接続され、映像コントローラ２４はルータ２９に接続され、ルータ２９はインターネット２２を介して前記ルータ２８に接続されている。配布装置１の表示部２は、ディスプレイ装置と、映像コントローラ２４から受信した映像信号を処理してディスプレイ装置に映像を出力する映像処理装置とを備えている。
尚、図３に示すように、前記映像配信装置２１に於いて、前記操作端末２７は複数台設けられても良く、又、前記配布装置１と映像コントローラ２４とルータ２９との組み合わせユニット３０も適宜複数ユニット設けられても良い。
【００１８】
而して、次に、前記映像配信装置２１の配信の手順について説明する。
操作端末２７を介して、第２サーバ２５に、コンテンツ、配信先毎のスケジュールが予め格納され、それらのコンテンツ、スケジュールは、適宜更新される。
操作端末２７を介して、特定の配布装置１に対し前記サーバ２３の配信を開始させると、サーバ２３は、スケジュールに基づき特定の配布装置１に対し映像を配信する。
サーバ２３は、時間表に基づき、番組表の番組の映像を特定の配布装置１に対し配信する。
サーバ２３から映像が配信されると、映像はルータ２８からインターネット２２を介してルータ２９に達し、ルータ２９から映像コントローラ２４に受信される。
映像コントローラ２４は、受信した映像を一時保存すると共に、保存した映像を配布装置１の表示部２に順次出力する。
表示部２には、受信した映像である動画や、静止画、ホームページ等が表示される。
又、表示部２に付属する音声出力装置により、前記映像に伴って配信された音声情報に基づき、音声出力をすることも可能である。
【００１９】
図４に於いて、３１は、前記表示部を備えた紙又は冊子等の配布装置（図１に於いて１）の変形例の配布装置であり、配布装置３１は、前記配布装置（図１に於いて１）の表示部（図１に於いて２）よりも表示面積を大とするべく、４つの画面３３，３３…を持つ表示部３２を設けた例である。表示部３２は、例えば、４２インチ×４画面、又は、５０インチ×４画面からなるプラズマ画面、或いは、４２インチ×４画面、又は、５０インチ×４画面からなるプロジェクション画面によって構成される。
配布装置３１は、大画面によって映像効果や、広告効果を高める場合や、見る人と配布装置３１との間に距離がある場合等に好適に用いることができる。
尚、図に於いて、選択部４は、ショーケース部３の上方に配置され、扉部は片開き式に構成されているが、これらの配置及び構成は任意に設定することができる。
【図面の簡単な説明】
【００２０】
【図１】本考案による表示部を備えた紙又は冊子等の配布装置を示す斜視図である。
【図２】本考案による表示部を備えた紙又は冊子等の配布装置の収納部及び繰り出し部部分の詳細を示す斜視図である。
【図３】本考案による映像配信装置を説明する概略図である。
【図４】本考案による変形例の表示部を備えた紙又は冊子等の配布装置を示す斜視図である。
【符号の説明】
【００２１】
１，３１  配布装置
２，３２  表示部
３  ショーケース部
４  選択部
５  収納部
６  繰り出し部
７  取出部
８  筐体
２１  映像配信装置
２２  インターネット
２３  サーバ
２４  映像コントローラ
【図１】
0003139511.tif 000003
【図２】
0003139511.tif 000004
【図３】
0003139511.tif 000005
【図４】
0003139511.tif 000006